(57)【要約】【課題】  人の手間を省くことができ、ペットのほぼ全ての部位を乾燥させ得るようにする。【解決手段】  ペット用乾燥装置１０に関し、収容したペットＰの頭部を収容室３０の外側に出すための孔１２と、ペットＰの背丈に合わせて収容室３０内の高さを調整する高さ調整手段（例えば仕切壁３２の窪みおよびピン４４）とを備える。高さ調整手段によって収容室３０内の高さをペットＰの背丈に合わせて調整することができ、しかも蓋体１４に孔１２を備えるので、確実にペットＰの頭部を収容室３０の外側に出すことができる。こうしてペットＰの頭部を確実に収容室の外側に出すことができるので、人がペットＰを押さえ付ける等のような手間を省くことができる。またペットＰは立ったままの体勢で乾燥を行うことになるので、ほぼ全ての部位を乾燥させることができる。【選択図】        図２
2005261217.tif 000002
【特許請求の範囲】
【請求項１】
ペットを収容する収容室と、収容室内に送風する送風機と、収容室内を暖める熱源とを備え、濡れたペットを乾燥させるペット用乾燥装置であって、
収容したペットの頭部を収容室の外側に出すための孔と、
ペットの背丈に合わせて、収容室内の高さを調整する高さ調整手段とを有するペット用乾燥装置。
【請求項２】
請求項１に記載したペット用乾燥装置であって、
ペットの首部の大きさに合わせて、収容室に備えた孔の大きさを調整する孔調整手段を有するペット用乾燥装置。
【請求項３】
請求項１または２に記載したペット用乾燥装置であって、
収容室の下方に位置して着脱可能に設けられ、水滴，体毛，汚物を受けるトレイを有するペット用乾燥装置。
【請求項４】
請求項１から３のいずれか一項に記載したペット用乾燥装置であって、
オゾンおよびマイナスイオンのうちで一方または双方を発生させて収容室内に供給するイオン発生器を有するペット用乾燥装置。
【請求項５】
請求項１から４のいずれか一項に記載したペット用乾燥装置であって、
送風機を複数備え、当該複数の送風機のうちで一以上の送風機を用いて収容室内に送風する送風切換手段を有するペット用乾燥装置。
【請求項６】
請求項１から５のいずれか一項に記載したペット用乾燥装置であって、
ペットの体毛量に応じた制御パターンに従って、送風機から送る風量，熱源に発生させる熱量および収容室内の空気を換気する換気量のうちで少なくとも一つを変化させる制御を行う制御手段を有するペット用乾燥装置。
【発明の詳細な説明】
【技術分野】
【０００１】
本発明は、濡れたペットを乾燥させるペット用乾燥装置に関する。
【背景技術】
【０００２】
従来では、乾燥中に呼吸を楽にするためにペット（すなわち犬や猫等の愛玩動物）の鼻を外部に突き出す孔であって、しかもペットの背丈に合うように高さを違えた複数の孔を有するペット用乾燥装置が知られている（例えば特許文献１を参照）。
【特許文献１】実公昭５３−５５０７２号公報（第２頁，第１図）
【発明の開示】
【発明が解決しようとする課題】
【０００３】
しかし単に孔を設けただけでは、ペットは孔の存在意義が分からず、ペットが自分の鼻を孔から外部に突き出すことは考えにくい。そのため、鼻を孔から外部に突き出すように人がペットを押さえなければならないので手間を要していた。
その一方、たとえ鼻を孔から外部に突き出したとしても、低い位置の孔から突き出す等して座り込んだり寝そべったりする体勢となる場合がある。この場合は、乾燥させることができない部位が生ずるので都合が悪い。
本発明はこのような点に鑑みてなしたものであり、人の手間を省くことができ、ペットのほぼ全ての部位を乾燥させ得るペット用乾燥装置を提供することを目的とする。
【課題を解決するための手段】
【０００４】
（１）課題を解決するための手段（以下では単に「解決手段」と呼ぶ。）１は、ペットを収容する収容室と、収容室内に送風する送風機と、収容室内を暖める熱源とを備え、濡れたペットを乾燥させるペット用乾燥装置であって、
収容したペットの頭部を収容室の外側に出すための孔と、ペットの背丈に合わせて収容室内の高さを調整する高さ調整手段とを有することを要旨とする。
【０００５】
解決手段１によれば、ペットの背丈に合わせて高さ調整手段により収容室内の高さを調整したうえで、当該ペットの頭部を孔から収容室の外側に出す。高さ調整手段によって確実にペットの頭部を収容室外に出すことができ、しかもペットの頭部のほぼ全体が収容室の外に出ているので、人がペットを押さえる必要もなくなって手間が省ける。また、収容室内ではペットを立たせたままで乾燥を行うのと並行して、外に出した頭部はドライヤー等を用いて乾かすので、ペットのほぼ全ての部位を確実に乾燥させることができる。
【０００６】
（２）解決手段２は、解決手段１に記載したペット用乾燥装置であって、ペットの首部の大きさに合わせて、収容室に備えた孔の大きさを調整する孔調整手段を有することを要旨とする。
【０００７】
ペットの大きさは動物の種類や体格等に応じて異なるので、孔の大きさが一定の場合にはペットの頭部を孔から出せなかったり、仮に孔から出せたとしても隙間が大きすぎて送風や暖房の効果が薄れてしまう場合がある。解決手段２によれば孔調整手段によって、首から上の頭部を収容室の外側に出せるようにしたり、頭部を外側に出した後は隙間がないようにしたりして孔を大きさを調整する。こうすれば、動物の種類や体格等が異なった場合でも、確実にペットの頭部を孔から出すことができ、孔から出した後も隙間を埋めるように孔を小さくすることができる。
【０００８】
（３）解決手段３は、解決手段１または２に記載したペット用乾燥装置であって、収容室の下方に位置して着脱可能に設けられ、水滴，体毛，汚物を受けるトレイを有することを要旨とする。
【０００９】
収容室内に収容したペットを乾燥させているとき、ペットが身体を振るわせて水気を払い落としたり、脱毛等によって体毛が飛び散ったり、興奮等によって用を足したりする場合がある。解決手段３によれば、水滴，体毛，汚物を受けるトレイがあるので、収容室が汚れるのを最小限に抑えることができる。またトレイは着脱可能に設けられているので、水滴，体毛，汚物の除去が容易に行え、綺麗な状態を保てるので衛生的である。
【００１０】
（４）解決手段４は、解決手段１から３のいずれか一項に記載したペット用乾燥装置であって、オゾンおよびマイナスイオンのうちで一方または双方を発生させて収容室内に供給するイオン発生器を有することを要旨とする。
【００１１】
解決手段４によれば、イオン発生器から発生させるオゾン（化学式：Ｏ3）は酸化促進作用を持つ気体であり、悪臭成分を化学的に分解する消臭・分解効果がある。また、マイナスイオンは余剰の電子を有するため、粉塵どうしの結合・落下によって空気を浄化したり、静電気を除去したり、除菌や消臭を行うことができる。
【００１２】
（５）解決手段５は、解決手段１から４のいずれか一項に記載したペット用乾燥装置であって、送風機を複数備え、当該複数の送風機のうちで一以上の送風機を用いて収容室内に送風する送風切換手段を有することを要旨とする。
【００１３】
一の送風機しか備えていない場合には、当該送風機から送風されて当たる部位は乾燥するものの、反対側の部位は風が当たらずに乾燥しにくいため、濡れたままの部位が残ってしまう。解決手段５によれば、送風切換手段によって送風すべき送風機を切り換えながら、ペットの前後や左右等に備えた複数の送風機によって送風するので、ほとんど全部の部位に風が当たることになって短時間で乾燥させることができる。
【００１４】
（６）解決手段６は、解決手段１から５のいずれか一項に記載したペット用乾燥装置であって、ペットの体毛量に応じた制御パターンに従って、送風機から送る風量や、熱源に発生させる熱量および収容室内の空気を換気する換気量のうちで少なくとも一つを変化させる制御を行う制御手段を有することを要旨とする。
【００１５】
ペットは動物の種類や体格等に応じて体毛量が異なるので、風量，熱量および換気量を一定にして乾燥を行う場合には、乾き足らなかったり、必要以上に乾き過ぎたりする。解決手段６によれば、制御手段はペットの体毛量に応じた制御パターンを設定し、当該制御パターンに従って風量，熱量および換気量を変化させて乾燥を行うので、ちょうど良い乾燥状態にして乾燥を終わらせることができる。
【発明の効果】
【００１６】
本発明によれば、ペットの頭部を確実に収容室の外側に出すことができるので、人の手間を省くことができる。またペットは立ったままの体勢で乾燥を行うことになるので、ほぼ全ての部位を乾燥させることができる。
【発明を実施するための最良の形態】
【００１７】
次に、本発明を実施するための最良の形態について、実施例に従って説明する。
【実施例１】
【００１８】
実施例１はペットの収容室を箱型ケース状に形成した例であって、図１〜図４を参照しながら説明する。ここでペット用乾燥装置について、外観の一例を斜視図で図１に表し、縦断面の一例を図２に表す。図３には換気口について開度を調整する機構の一例を表し、図４には風量，熱量および換気量の制御例を表す。
【００１９】
まず図１に示すように、ペット用乾燥装置１０は蓋体１４，側板２６および基板２４によって箱型ケース状の収容室３０を形成し、トレイ２０や換気口１６，４６（換気口４６は図２を参照）等を備える。
収容室３０の上方に備えた蓋体１４は、ペットの頭部を通して収容室３０の外部に出すための孔１２を有する。蓋体１４および側板２６を透明または半透明の部材（例えばプラスチック等の高分子部材）によって形成すると、収容室３０内に収容したペットの様子を外部から観察できる。蓋体１４にはさらに留め具２８やヒンジ（図示せず）を有し、留め具２８を外した状態で矢印Ｄ２方向に開閉できる。蓋体１４の開閉について、図１では閉じた状態を実線で表し、開いた状態を二点鎖線で表す。
【００２０】
水滴，体毛，汚物を受けるトレイ２０は、基板２４の下方に位置して着脱可能であり、しかも前後方向（図示する矢印Ｄ４方向）にスライド移動が可能に構成する。収容室３０の換気を行う換気口１６，４６の構成例については、後述する（図３を参照）。
上述のように構成したペット用乾燥装置１０において、二点鎖線で表すように蓋体１４を開いた状態でペットを収容室３０に収容した後、ペットの頭部を孔１２に通しながら、実線で表すように蓋体１４を閉める。こうしてペットを収容した状態を図２に示す。
【００２１】
図２に示すように、熱が逃げるのを防止するとともに、ペットＰ（本例では犬）の首部の大きさに合わせられるようにするため、開口孔の大きさを調整する開口調整部材５０を孔１２に備える。孔調整手段に相当する開口調整部材５０は、例えばシート部材（布シート，革シート，ゴムシート等を含む）や可撓性部材などからなる。シート部材の場合には鳩目を設け、当該鳩目に絞り紐を通す。絞り紐を引っ張ったり、絞り部分を緩めたりすることで開口孔の大きさを調整する。可撓性部材はゴム風船のように伸縮可能な部材であって、内部に封入する流体（特に空気）の量によって開口孔の大きさを調整する。
【００２２】
また、基板２４はペットＰを収容する際の台座となる。当該基板２４は水滴，体毛，汚物をトレイ２０に落とすために、小孔２４ａを有する板材や、網状部材で形成する。さらには、ペットＰの背丈に見合うような収容室３０内の高さＨに調整するべく、基板２４は上下方向（図示する矢印Ｄ６方向）に移動可能に構成する。すなわち、収容室３０と側室３６，４８とを仕切る仕切壁３２には高さ位置を異ならせた複数の窪み（図示せず）を設け、当該窪みにピン４４を差し込む。ピン４４を差し込む窪みの位置によって、収容室３０内の高さを調整できる。こうして差し込んだピン４４は支持部材となり、基板２４を載せる。なお、上述した仕切壁３２の窪みおよびピン４４は、高さ調整手段に相当する。
【００２３】
一方の側室３６には、イオン発生器３４，ファン３８，ヒーター４２および制御ボックス４０などを備える。イオン発生器３４は、オゾンおよびマイナスイオンのうちで一方または双方を発生させる。ファン３８は、仕切壁３２に備えた小孔や網状部材等を通じて、収容室３０内に送風する。ヒーター４２はファン３８と仕切壁３２との間に配置し、収容室３０内を暖めるための熱を発生させる。よってヒーター４２で発生した熱は、ファン３８で発生させる風によって温風として収容室３０に送ることができる。図２では、収容室３０および側室３６，４８で循環する温風の流れを矢印Ｄ８で示す。制御ボックス４０はマイクロコンピュータを備えており、ファン３８から送る風量，ヒーター４２から発生させる熱量および収容室３０内の空気を換気する換気量を制御する。当該制御ボックス４０による制御例については後述する（図４を参照）。ファン３８やヒーター４２は、操作者が図１に示す操作スイッチ１８を操作することにより、手動で個別に作動させることもできる。これに対して他方の側室４８には空気が流れる通路があるのみであり、側室４８から換気口４６を通じて空気を排出できる。
【００２４】
図３（Ａ）の断面図に示すように、換気口１６には複数枚の羽根５２，調整ノブ１６ａおよびモーター５４等を備える。複数枚の羽根５２を回転させ、図３（Ｂ）に示すように全て開いた状態になると換気口１６を塞いで換気せず、図３（Ｃ）に示すように一枚の羽根５２（図示する羽根５２ａ）に重ね合わせた状態になると換気口１６を最も開いて換気する。複数枚の羽根５２の回転は、操作者が調整ノブ１６ａを操作することにより手動で行え、モーター５４の駆動により自動で行える。したがって、換気口１６から側室３６に流入する空気の量（換気量）は、調整ノブ１６ａやモーター５４によって調整できる。
本例は換気口１６について説明したが、図２に示す換気口４６についても同様である。したがって、側室３６から換気口４６を通じて排出する空気の量（換気量）は、調整ノブ４６ａやモーター５４によって調整できる。
【００２５】
制御ボックス４０によって風量，熱量および換気量を制御する例について、図４を参照しながら説明する。制御ボックス４０は、ファン３８に流す電流によって風量を制御し、ヒーター４２に流す電流によって熱量を制御し、モーター５４に流す電流（またはパルス量）によって換気量を制御する。ここで、体毛量が多いペットＰ（例えばシーズー犬やペルシャ猫など）の場合と、体毛量が少ないペットＰ（例えばポインター犬やアメリカンショートヘアー猫など）場合とにおける各制御例を以下に示す。
【００２６】
（体毛量の多いペットＰの場合）
例えば図４において実線で示す曲線のように、風量ｗ１，熱量θ１および換気量ｖ１に従って制御する。すなわち時刻ｔの経過に従って、風量ｗ１は初め急速に大きくし、大きな風量のまましばらく維持し、その後は次第に減少させる。熱量θ１は初め急速に増やすものの、ピークを達した後は緩やかに減少させる。換気量ｖ１は初めに少なくし、最後のほうで多くする。
【００２７】
（体毛量の少ないペットＰの場合）
例えば図４において破線で示す曲線のように、風量ｗ２，熱量θ２および換気量ｖ２に従って制御する。すなわち時刻ｔの経過に従って風量ｗ２は初め急速に増やすものの、ピークを達した後は緩やかに減少させる。熱量θ２は熱量θ１と同様な曲線であるが、熱量θ１よりは少なく熱する。換気量ｖ２も換気量ｖ１と同様な曲線であるが、換気量ｖ１よりは少なくし、早めに終わらせる。
【００２８】
上述した実施例１によれば、以下に示す各効果を得ることができる。
（ａ１）収容したペットＰの頭部を収容室３０の外側に出すための孔１２と、ペットＰの背丈に合わせて収容室３０内の高さを調整する高さ調整手段（本例では仕切壁３２の窪みおよびピン４４）とを備えた｛図１，図２を参照｝。高さ調整手段によって収容室３０内の高さをペットＰの背丈に合わせて調整でき、しかも蓋体１４に孔１２を備えるので、確実にペットＰの頭部を収容室３０外に出すことができる。この構成によれば、ペットＰの頭部のほぼ全体が収容室３０の外に出ているので、人がペットＰを押さえる必要もなくなって手間が省ける。また、収容室３０内ではペットＰを立たせたままで乾燥を行うのと並行して、外に出した頭部はドライヤー等を用いて乾かすので、ペットＰのほぼ全ての部位を確実に乾燥させることができる。
【００２９】
収容室内に頭部を含めて収容した従来に比べると、ペットＰは頭部が外側に出ているので、飼い主（あるいは操作者等）を直接見ることができ、吠えたり暴れるようなことが少なくなる。また、狭い室内に閉じ込められることによる恐怖感や、温風がペットＰの顔に当たることによる不快感を軽減することもできる。
【００３０】
（ａ２）ペットＰの首部の大きさに合わせて、収容室３０に備えた孔１２の大きさを調整する孔調整手段（本例では開口調整部材５０）を備えた｛図２を参照｝。ペットＰの大きさは動物の種類や体格等に応じて異なるが、開口調整部材５０によって開口孔の大きさを調整できる。したがって、確実にペットＰの頭部を孔１２から出すことができる。また、孔１２から出した後も隙間を埋めるように孔１２（すなわち開口孔）を小さくすることができるので、収容室３０内における送風や暖房の効果を保持できる。
【００３１】
（ａ３）収容室３０の下方に位置して着脱可能に設けられ、水滴，体毛，汚物を受けるトレイ２０を備えた｛図１，図２を参照｝。収容室３０内に収容したペットＰを乾燥させているとき、ペットＰが身体を振るわせて水気を払い落としたり、脱毛等によって体毛が飛び散ったり、興奮等によって用を足したりする場合がある。この場合でも水滴，体毛，汚物を受けるトレイ２０があるので、収容室３０が汚れるのを最小限に抑えることができる。またトレイ２０は着脱可能に設けられているので、水滴，体毛，汚物の除去が容易に行え、綺麗な状態を保てるので衛生的である。
【００３２】
（ａ４）オゾンおよびマイナスイオンのうちで一方または双方を発生させて収容室３０内に供給するイオン発生器３４を備えた｛図２を参照｝。イオン発生器３４から発生させるオゾンは酸化促進作用を持つ気体であり、悪臭成分を化学的に分解する消臭・分解効果がある。また、マイナスイオンは余剰の電子を有するため、粉塵どうしの結合・落下によって空気を浄化したり、静電気を除去したり、除菌や消臭を行うことができる。
【００３３】
（ａ５）ペットＰの体毛量に応じた制御パターン（すなわち図４に示す風量ｗ１，ｗ２、熱量θ１，θ２および換気量ｖ１，ｖ２の曲線パターン）に従って、ファン３８から送る風量や、ヒーター４２に発生させる熱量および収容室３０内の空気を換気する換気量の制御を行う制御手段（本例では制御ボックス４０）を備えた｛図２を参照｝。ペットＰは動物の種類や体格等に応じて体毛量が異なるが、当該体毛量の多少に応じて風量，熱量および換気量を変化させて乾燥を行う。したがって、乾き足らなかったり、必要以上に乾き過ぎたりするような事態を防止してちょうど良い乾燥状態で乾燥を終わらせられる。
なお、ペットＰの種類によっては標準的な体温も異なるので、当該体温に応じてヒーター４２から発生させる熱量θ１，θ２を増減させるのが望ましい。こうすれば、ペットＰが暑がったり寒がったりせずに乾燥を行うことができる。
【実施例２】
【００３４】
実施例２は実施例１と同様にペット用乾燥装置１０に本発明を適用し、ペットＰに対して複数方向から送風して乾燥させる例である。当該実施例２は図５，図６を参照しながら説明する。なおペット用乾燥装置１０の構成等は実施例１と同様であり、図示および説明を簡単にするために実施例２では実施例１と異なる点について説明する。よって実施例１で用いた要素と同一の要素には同一の符号を付して説明を省略する。
【００３５】
図５に示すペット用乾燥装置１０が図２と異なるのは、側室３６に備えたファン３８およびヒーター４２とは別個に、ファン５６およびヒーター５８を側室４８に備えた点である。ファン５６の構成はファン３８と同等であり、ヒーター５８の構成もヒーター４２と同等である。なお、ヒーター５８はファン５６と仕切壁３２との間に配置する。
【００３６】
上述のように構成したペット用乾燥装置１０において、収容室３０に送風する制御の一例を図６に示す。図６に示す風量ｗ３８はファン３８による送風を表し、風量ｗ５６はファン５６による送風を表す。まずファン５６を作動させてペットＰの前側から風量ｗ５６を増やしてゆき、当該ペットＰの前側を乾燥させる。その後はファン５６の風量ｗ５６を減らしながら、ファン３８を作動させてペットＰの後側から風量ｗ３８を増やしてゆき、当該ペットＰの後側を乾燥させる。さらにファン３８，５６を同時に作動させてペットＰの全体を乾燥させる。
【００３７】
上述した実施例２によれば、以下に示す各効果を得ることができる。
（ｂ１）複数の送風機に相当するファン３８，５６を備え｛図５を参照｝、ファン３８，５６のうちで一以上のファンを用いて収容室３０内に送風する制御を実現した｛送風切換手段；図６を参照｝。図５の例ではペットＰの前後にファン３８，５６を備えたので、二つのファンから発生させる風によりペットＰの前側と後側とを個別に乾かすことができる。また終わりのほうでファン３８，５６から同時に送風したので、乾きにくい部位を確実に乾燥させることができる。したがって、ペットＰのほとんど全部の部位に風が当たることになって短時間で乾燥させることができる。
（ｂ２）その他の要件，構成，作動等については実施例１と同様であるので、当該実施例１と同様の効果が得られる｛上述した事項（ａ１）〜（ａ５）を参照｝。
【実施例３】
【００３８】
実施例３は実施例１と同様にペット用乾燥装置１０に本発明を適用し、動力を用いて収容室３０内の高さＨを調整する例である。当該実施例３は図７を参照しながら説明する。なおペット用乾燥装置１０の構成等は実施例１と同様であり、図示および説明を簡単にするために実施例３では実施例１と異なる点について説明する。よって実施例１で用いた要素と同一の要素には同一の符号を付して説明を省略する。
【００３９】
図７には基板２４を上下方向に移動させる機構の一例を表す図であって、側面から見た模式図を図７（Ａ）に示し、上から見た平面の模式図を図７（Ｂ）に示す。これらの図７（Ａ），図７（Ｂ）において、ペット用乾燥装置１０には二本のロッド６２ａと二本のスクリューネジ６２ｂとを備え、基板２４に対して対角線上に互いに配置する。図７（Ｂ）に示すように基板２４の四隅には、ロッド６２ａを通すための通し孔と、スクリューネジ６２ｂと噛み合うネジ孔とを備える。ロッド６２ａは基台６４ａに支持され、スクリューネジ６２ｂはモーター６４ｂと連結されている。これらの基台６４ａおよびモーター６４ｂはペット用乾燥装置１０に備えられている。モーター６４は、操作者が図１に示す操作スイッチ１８を操作することにより、手動で作動させることができる。
【００４０】
上述した構成によれば、操作者が操作スイッチ１８を操作するとモーター６４が作動し、基板２４を上下方向（矢印Ｄ６方向）に移動させることができる。ペットＰを収容室３０に収容する前にしか高さＨの調整を行えない実施例１に対して、本実施例ではペットＰを収容室３０に収容する前後のいずれでも高さＨの調整を行えるようになる。
【００４１】
上述した実施例３によれば、以下に示す各効果を得ることができる。
（ｃ１）動力源に相当するモーター６４を用いて基板２４を移動できるように構成したので｛図７を参照｝、ペットＰの収容前後にかかわらず収容室３０内の高さＨを調整することができる。したがって、ペットＰの背丈に最適な高さＨを調整できる。
本例では基板２４の対角線上にスクリューネジ６２ｂおよびモーター６４ｂを配置したが、基板２４の四隅のうちで一以上の隅についてスクリューネジ６２ｂおよびモーター６４ｂを配置してもよく、当該四隅以外の部位（例えば周縁部や端部等）に配置してもよい。この部位に配置してもペットＰの背丈に最適な高さＨを調整できる。
（ｃ２）その他の要件，構成，作動等については実施例１と同様であるので、当該実施例１と同様の効果が得られる｛上述した事項（ａ１）〜（ａ５）を参照｝。また実施例２に示すファン３８，５６を備えてもよく、この場合には実施例２と同様の効果が得られる｛上述した事項（ｂ１）を参照｝。
【実施例４】
【００４２】
実施例４は実施例１と同様にペット用乾燥装置１０に本発明を適用し、ペットＰの頭部を通す開口孔の大きさを調整する機構の一例である。当該実施例４は図８を参照しながら説明する。なおペット用乾燥装置１０の構成等は実施例１と同様であり、図示および説明を簡単にするために実施例４では実施例１と異なる点について説明する。よって実施例１で用いた要素と同一の要素には同一の符号を付して説明を省略する。
【００４３】
図８には蓋体１４を水平方向に移動させる機構の一例を表す図であって、蓋体１４は第１蓋部１４ａと第２蓋部１４ｂとからなる。図８（Ａ）には第１蓋部１４ａと第２蓋部１４ｂとを離した状態を示し、図８（Ｂ）には第１蓋部１４ａと第２蓋部１４ｂとの一部を重ね合わせて孔１２を形成した状態を示す。
当該蓋体１４は図２に代わるものであって、第１蓋部１４ａおよび第２蓋部１４ｂのうちで、少なくとも一方の蓋部をスライド可能に備える。また図示するように、第１蓋部１４ａには端部に近付くに従って広がってゆくＵ字状に切り欠いた切欠部１２ａを有し、第２蓋部１４ｂには同様の形状に切り欠いた切欠部１２ｂを有する。さらには切欠部１２ａ，１２ｂが互いに対向するように、第１蓋部１４ａと第２蓋部１４ｂとを配置する。
【００４４】
上述したように構成した蓋体１４について、第１蓋部１４ａをスライド可能に構成した場合には次のようにして孔１２の大きさを調整する。すなわち、図８（Ａ）に示すように第１蓋部１４ａを所定方向（例えば矢印Ｄ８ａ方向）にスライドさせてゆくと、図８（Ｂ）に示すように切欠部１２ａおよび切欠部１２ｂによって孔１２が形成される。第１蓋部１４ａのスライド量によって孔１２の大きさが変化してゆくので、ペットＰの首部の大きさに合わせて孔１２の大きさを調整することができる。本例では第１蓋部１４ａのみをスライド可能に構成したが、第２蓋部１４ｂのみをスライド可能に構成した場合や、第１蓋部１４ａおよび第２蓋部１４ｂの双方をスライド可能に構成した場合でも同様である。
【００４５】
上述した実施例４によれば、以下に示す各効果を得ることができる。
（ｄ１）孔１２の大きさが当該の最大径に制限される実施例１に比べると、第１蓋部１４ａ（または第２蓋部１４ｂ）をスライドさせる位置によって孔１２の大きさを変化させることができるので制限を受けない。したがって、首部の大きさが大幅に異なるペットＰであっても、孔１２から頭部を外部に出すことができる。
（ｄ２）その他の要件，構成，作動等については実施例１と同様であるので、当該実施例１と同様の効果が得られる｛上述した事項（ａ１）〜（ａ５）を参照｝。また実施例２に示すファン３８，５６を備えたり、実施例３に示すスクリューネジ６２ｂやモーター６４等を備えて基板２４を移動可能に構成してもよく、これらの場合には実施例２，３と同様の効果が得られる｛上述した事項（ｂ１），（ｃ１）を参照｝。
【実施例５】
【００４６】
実施例５は実施例１と同様にペット用乾燥装置１０に本発明を適用し、蓋体１４に代わる部材を用いる例である。当該実施例５は図９を参照しながら説明する。なおペット用乾燥装置１０の構成等は実施例１と同様であり、図示および説明を簡単にするために実施例５では実施例１と異なる点について説明する。よって実施例１で用いた要素と同一の要素には同一の符号を付して説明を省略する。
【００４７】
図９に示すペット用乾燥装置１０が図２と異なるのは、蓋体１４の代わりにシート部材６６を備えた点である。当該シート部材６６には、例えば布シートや、紙シート、革シート、ゴムシート等を用いる。ただし、蓋体１４と同じように孔１２を備えており、当該孔１２は鳩目に通す絞り紐等によって開口孔の大きさを調整可能であるのが望ましい。
プラスチック等のような硬い部材を用いる蓋体１４に比べると、布シート等のような柔らかい部材を用いるシート部材６６はペットＰがぶつかっても痛みが殆どない。このようなシート部材６６を用いた場合でも、蓋体１４よりは劣るものの、ヒーター４２から発生した熱をファン３８，５６で送った温風は外部に逃がしにくい。
なお、ペット用乾燥装置１０本体に対してシート部材６６を着脱可能に備えれば、汚れたり破れたりした場合でも簡単に取り替えることができるようになる。
【００４８】
上述した実施例５によれば、以下に示す各効果を得ることができる。
（ｅ１）硬い蓋体１４に比べて柔らかいシート部材６６を用いたので｛図９を参照｝、ペットＰがぶつかっても痛みが殆どなく、怪我を防止できる。シート部材６６を着脱可能に構成した場合には、汚損字や破損時などに簡単に取り替えられる。
（ｅ２）その他の要件，構成，作動等については実施例１と同様であるので、当該実施例１と同様の効果が得られる｛上述した事項（ａ１）〜（ａ５）を参照｝。
【他の実施例】
【００４９】
以上、本発明を実施するための最良の形態について実施例に従って説明したが、本発明は当該実施例に何ら限定されるものではない。言い換えれば、本発明の要旨を逸脱しない範囲内において、種々なる形態で実施することが可能である。例えば、次に示す各形態を実現してもよい。
【００５０】
（ｆ１）実施例１〜５では、トレイ２０は単に上面を欠いた箱状に形成しただけであるが｛図１，図２等を参照｝、図１０に示すようにトレイ２０の底面に孔をあけ、当該孔にドレーンホース６８を接続する構成としてもよい。こうすればトレイ２０に溜めることなく水滴を排水することができる。
【００５１】
（ｆ２）実施例１〜５では、ファン３８，５６は単に送風するだけの機能を備えたが｛図２，図５等を参照｝、当該ファン３８，５６に首振り機構を備えてもよい。ペット用乾燥装置１０にかかる横断面を表す図１１において、ファン３８，５６を互いに一方側に振るように制御すれば、ファン３８から送り出す風は矢印Ｄ１０のように吹き抜け、ファン５６から送り出す風は矢印Ｄ１２のように吹き抜ける。同様に他方側に振るように制御すれば、ファン３８，ファン５６から送り出す風は矢印と逆方向に吹き抜ける。よってペットＰの前側や後側だけでなく、左右側（横側）をも確実に乾燥させることができる。
【００５２】
（ｆ３）実施例１〜４では、蓋体１４を開閉可能に構成したが｛図１を参照｝、当該蓋体１４が開閉不能とし、側板２６を開閉可能に構成してもよい。この場合は図１２に示すように、留め具２８を側板２６に備える。実施例１〜４ではペットＰを持ち上げて収容室３０に収容しなければならないが、本例ではペットＰを持ち上げなくでも自力で歩かせて収容室３０に収容することができる。
【００５３】
（ｆ４）実施例１〜５では、孔１２を蓋体１４に備えたが｛図１，図２等を参照｝、蓋体１４に代えて（あるいは加えて）、孔１２を側板２６に備えてもよい。ミニチュアダックスフンド犬などのような一部のペットＰでは、蓋体１４に備えた孔１２から頭部を出しづらい種類もある。側板２６に孔１２があれば、基板２４の移動により収容室３０内の高さＨが調整できるので、これらのペットＰでも容易に頭部を出すことができる。
【図面の簡単な説明】
【００５４】
【図１】ペット用乾燥装置にかかる外観の一例を表す斜視図である。
【図２】ペット用乾燥装置にかかる縦断面の一例を表す図である。
【図３】換気口について開度を調整する機構の一例を表す図である。
【図４】風量，熱量および換気量の制御例を表す図である。
【図５】ペット用乾燥装置にかかる縦断面の一例を表す図である。
【図６】ファンの切り換えを行う制御例を表す図である。
【図７】基板を上下方向に移動させる機構の一例を表す図である。
【図８】蓋体を水平方向に移動させる機構の一例を表す図である。
【図９】ペット用乾燥装置にかかる縦断面の一例を表す図である。
【図１０】ドレーンを備えたトレイの例を示す図である。
【図１１】ペット用乾燥装置にかかる横断面の一例を表す図である。
【図１２】ペット用乾燥装置にかかる外観の一例を表す斜視図である。
【符号の説明】
【００５５】
１０  ペット用乾燥装置
１２  孔
１４  蓋体
１４ａ，１４ｂ  蓋部（蓋体）
１６，４６  換気口
１６ａ，４６ａ  調整ノブ
１８  操作スイッチ
２０  トレイ
２２  取っ手
２４  基板
２６  側板
２８  留め具
３０  収容室
３２  仕切壁
３４  イオン発生器
３６，４８  側室
３８，５６  ファン（送風機）
４０  制御ボックス（制御手段）
４２，５８  ヒーター（熱源）
４４  ピン
５０  開口調整部材
５２  羽根
５４，６４  モーター
６０  上板
６２  スクリューネジ
６６  シート部材
６８  ドレーンホース
Ｐ  ペット
【図１】
2005261217.tif 000003
【図２】
2005261217.tif 000004
【図３】
2005261217.tif 000005
【図４】
2005261217.tif 000006
【図５】
2005261217.tif 000007
【図６】
2005261217.tif 000008
【図７】
2005261217.tif 000009
【図８】
2005261217.tif 000010
【図９】
2005261217.tif 000011
【図１０】
2005261217.tif 000012
【図１１】
2005261217.tif 000013
【図１２】
2005261217.tif 000014